(57)【特許請求の範囲】
【請求項１】
容器とスライド部材と弾性部材とを有し、
前記容器は収容部と、開口部と、前記収容部と前記開口部との間に設けられた首部とを有し、前記開口部から底部にかけて背面が平面状となっており、前記開口部および前記首部の断面は前記収容部の断面より小さく、前記収容部の首部付近から前記開口部にかけて断面は徐々に小さくなっており、前記開口部にはフランジが設けられ、
前記スライド部材は一端が閉じた筒状であって一端側側部に取り入れ口を他端に取り出し口を有し、その他端にはフランジが設けられ、そのフランジには前記取り出し口を開閉可能な蓋が設けられ、前記スライド部材は前記開口部に挿入されて前記取り入れ口を前記容器の内部に前記取り出し口を前記容器の外部に配置し、前記取り入れ口が前記首部と前記収容部との間を移動するよう前記容器に対し前記背面に沿ってスライド可能に設けられ、前記取り入れ口は前記首部で塞がれ前記収容部で開放され、
前記弾性部材は可撓性の蛇腹から成り、前記スライド部材を貫通させて、前記容器の開口部と前記スライド部材のフランジとの間に設けられ、前記弾性部材の一端は前記開口部のフランジに被覆して取り付けられ、他端は前記スライド部材のフランジに取り付けられ、前記取り入れ口が前記首部の位置に配置されるよう前記スライド部材を前記開口部に対し突出する方向に付勢して保持しており、前記弾性部材には、その収縮の際に内側から出る空気圧により音を出す笛を設けてあることを、
特徴とする粒状物用容器。
【発明の詳細な説明】
【０００１】
【発明の属する技術分野】
本発明は、ラムネ菓子などの粒状物を収容するための粒状物用容器に関する。
【０００２】
【従来の技術】
従来の粒状物用容器として、例えば、特開平１１−１９３５０号公報に示すものがある。すなわち、可動蓋板を有して簡単な操作で定量の錠剤を取り出すことができるものである。
【０００３】
【発明が解決しようとする課題】
しかしながら、従来の粒状物用容器では、部品点数が増え、構造が複雑になるため、製造コストが高くなるという課題があった。
本発明は、構造が簡単で、製造コストを低減することができる粒状物用容器を提供することを目的としている。
【０００４】
【課題を解決するための手段】
上記目的を達成するために、本発明に係る粒状物用容器は、容器とスライド部材と弾性部材とを有し、前記容器は収容部と、開口部と、前記収容部と前記開口部との間に設けられた首部とを有し、前記開口部から底部にかけて背面が平面状となっており、前記開口部および前記首部の断面は前記収容部の断面より小さく、前記収容部の首部付近から前記開口部にかけて断面は徐々に小さくなっており、前記開口部にはフランジが設けられ、前記スライド部材は一端が閉じた筒状であって一端側側部に取り入れ口を他端に取り出し口を有し、その他端にはフランジが設けられ、そのフランジには前記取り出し口を開閉可能な蓋が設けられ、前記スライド部材は前記開口部に挿入されて前記取り入れ口を前記容器の内部に前記取り出し口を前記容器の外部に配置し、前記取り入れ口が前記首部と前記収容部との間を移動するよう前記容器に対し前記背面に沿ってスライド可能に設けられ、前記取り入れ口は前記首部で塞がれ前記収容部で開放され、前記弾性部材は可撓性の蛇腹から成り、前記スライド部材を貫通させて、前記容器の開口部と前記スライド部材のフランジとの間に設けられ、前記弾性部材の一端は前記開口部のフランジに被覆して取り付けられ、他端は前記スライド部材のフランジに取り付けられ、前記取り入れ口が前記首部の位置に配置されるよう前記スライド部材を前記開口部に対し突出する方向に付勢して保持しており、前記弾性部材には、その収縮の際に内側から出る空気圧により音を出す笛を設けてあることを、特徴とする。
【０００５】
本発明に係る粒状物用容器は、容器の収容部に粒状物を収容して使用する。粒状物は、たまごボーロ・ラムネ菓子・ガムボールなどの菓子、錠剤その他の物から成る。粒状物は、取り出しやすくするため、球形状であることが好ましい。収容部の中の粒状物は、通常、スライド部材が弾性部材により付勢されて取り入れ口が首部で塞がれているため、取り出し口から外に飛び出すことはない。容器を持って開口部を下に向け、取り出し口を弾性部材に抗して手のひらなどで押すと、スライド部材が容器の中にスライドして引っ込み、取り入れ口が収容部で開放される。このため、収容部の中の粒状物は、取り入れ口からスライド部材の中に入り、取り出し口から取り出すことができる。取り出し口から手のひらなどを離すと、スライド部材は弾性部材により開口部に対し突出する方向に付勢されているため元の位置に戻り、取り入れ口は首部で塞がれる。こうして、粒状物を必要な分だけ取り出すことができる。本発明に係る粒状物用容器は、構造が簡単で、製造コストを低減することができる。
【０００６】
【発明の実施の形態】
以下、図面に基づき、本発明の実施の形態について説明する。
図１乃至図５は、本発明の実施の形態の粒状物用容器を示している。
図１乃至図５に示すように、粒状物用容器は、容器１とスライド部材２と弾性部材３とを有している。
【０００７】
容器１は、プラスチック製のビン状であって、収容部１１と、開口部１２と、首部１３とを有している。首部１３は、収容部１１と開口部１２との間に設けられている。図４および図５に示すように、容器１は、開口部１２から底部１４にかけて背面１５が平面状となっている。開口部１２および首部１３の断面は収容部１１の断面より小さく、収容部１１の首部１３付近から開口部１２にかけて断面は徐々に小さくなっている。開口部１２には、フランジ１６が設けられている。
【０００８】
スライド部材２は、一端２１が閉じた筒状であって、一端側側部に取り入れ口２２を他端に取り出し口２３を有している。取り入れ口２２の大きさは、容器１に収容される粒状物４よりやや大きい程度に設定される。スライド部材２の他端には、フランジ２４が設けられている。フランジ２４には、取り出し口２３を開閉可能な蓋２５が設けられている。スライド部材２は、開口部１２に挿入されて取り入れ口２２を容器１の内部に取り出し口２３を容器１の外部に配置している。スライド部材２は、取り入れ口２２が首部１３と収容部１１との間を移動するよう容器１に対しスライド可能に設けられている。スライド部材２は、容器１に対してスライドするとき平坦な背面１５に沿ってスライドする。取り入れ口２２は、首部１３で塞がれ、収容部１１で開放される。首部１３で取り入れ口２２を塞ぐ程度は、粒状物４が取り入れ口２２に入らない程度であれば十分である。
【０００９】
弾性部材３は、軟質プラスチック製で、可撓性の蛇腹から成っている。弾性部材３は、スライド部材２を貫通させて、容器１の開口部１２とスライド部材２のフランジ２４との間に設けられている。弾性部材３の一端３１は開口部１２のフランジ１６に被覆して取り付けられ、他端３２はスライド部材２のフランジ２４に取り付けられている。弾性部材３は、取り入れ口２２が首部１３の位置に配置されるようスライド部材２を開口部１２に対し突出する方向に付勢して保持している。なお、弾性部材３には、弾性部材３の収縮の際に内側から出る空気圧により音を出す笛を設けてもよい。
【００１０】
粒状物用容器は、容器１の収容部１１に粒状物４を収容して使用する。粒状物４は、例えば、たまごボーロやラムネ菓子などの球形状の菓子から成る。図４に示すように、収容部１１の中の粒状物４は、取り出し口２３に蓋２５が設けられているうえ、通常、スライド部材２が弾性部材３により付勢されて取り入れ口２２が首部１３で塞がれているため、取り出し口２３から外に飛び出すことはない。図５に示すように、取り出し口２３の蓋２５をあけ、容器１を持って開口部１２を下に向け、取り出し口２３を弾性部材３に抗して手のひらなどで押すと、スライド部材２が容器１の中にスライドして引っ込み、取り入れ口２２が収容部１１で開放される。このため、収容部１１の中の粒状物４は、重力で取り入れ口２２からスライド部材２の中に入り、取り出し口２３から取り出すことができる。取り出し口２３から手のひらなどを離すと、スライド部材２は弾性部材３により開口部１２に対し突出する方向に付勢されているため元の位置に戻り、取り入れ口２２は首部１３で塞がれる。こうして、粒状物４を必要な分だけ取り出すことができる。
【００１１】
小さい子供にたまごボーロやラムネ菓子などの球形状の菓子を与えると、菓子を容器から床などにバラバラとこぼしたり落としたりしてしまうことが多い。これを防ぐため、菓子を予め、粒状物用容器に入れ替えておいて子供に与えるようにする。子供は、菓子を食べたいときに粒状物用容器を逆さにして取り出し口２３を手のひらで押し、菓子を取り出すことができる。取り出した菓子は手のひらで１つずつ受けることができ、取り出し口２３から手のひらを離すと取り入れ口２２は塞がれる。このため、小さい子供でも菓子をこぼさずに取り出すことができる。粒状物用容器は、構造が簡単で、製造コストを低減することができる。
【００１２】
【発明の効果】
本発明に係る粒状物用容器によれば、構造が簡単で、製造コストを低減することができる。
【図面の簡単な説明】
【図１】本発明の実施の形態の粒状物用容器の側面中央縦断面図である。
【図２】図１の粒状物用容器の蓋を開けた状態の正面図である。
【図３】図１の粒状物用容器の横断面図である。
【図４】図１の粒状物用容器の正面中央縦断面図である。
【図５】図１の粒状物用容器の粒状物を取り出す状態の正面中央縦断面図である。
【符号の説明】
１  容器
２  スライド部材
３  弾性部材
１１  収容部
１２  開口部
１３  首部
２２  取り入れ口
２３  取り出し口
【図１】
0003588341.tif 000002
【図２】
0003588341.tif 000003
【図３】
0003588341.tif 000004
【図４】
0003588341.tif 000005
【図５】
0003588341.tif 000006